(57)【要約】【課題】輝度やコントラストの調整を容易に行うことができると共に、撮影画像の明るさを容易に確認できるものとする。【解決手段】制御部５０は、本線系ブロック１１において得られるカラー画像信号Ｄｑによるカラー画像を表示する状態において、操作部５１の操作により輝度基準画像の表示が指示されると、輝度判別の基準となる輝度基準画像の画像信号を上記カラー画像信号Ｄｑの輝度信号のみによる白黒画像の画像信号に混合して、上記カラー画像信号Ｄｑに基づく白黒画像と上記輝度基準画像を合わせて表示する画像信号Ｄｕを生成するように、モニタ系ブロック３０の画像表示制御部３１を制御する。【選択図】　　　　図１
2004147229.tif 000002
【特許請求の範囲】
【請求項１】
輝度判別の基準となる輝度基準画像の画像信号を生成する信号生成手段と、
入力カラー画像信号と前記輝度基準画像の画像信号を用いて、前記入力カラー画像信号に基づく表示画像と上記輝度基準画像を合わせて表示する画像信号を生成する混合手段と、
上記輝度基準画像の表示を指示するための操作手段と、
上記操作手段の操作により輝度基準画像の表示が指示されたことを受け付けて、上記混合手段の動作を切り換える制御手段とを備え、
上記操作手段の操作により輝度基準画像の表示が指示されると、入力カラー画像信号の輝度信号のみによる白黒画像の画像信号に輝度基準画像の画像信号を混合して出力することを特徴とする画像表示制御装置。
【請求項２】
入力カラー画像信号によるカラー画像を表示する状態において、輝度基準画像の表示が指示されると、輝度判別の基準となる輝度基準画像の画像信号を入力カラー画像信号の輝度信号のみによる白黒画像の画像信号に混合して、上記入力カラー画像信号に基づく白黒画像と上記輝度基準画像を合わせて表示することを特徴とする画像表示制御方法。
【請求項３】
被写体を撮影してカラー画像信号を生成するカラー画像信号生成手段と、
輝度判別の基準となる輝度基準画像の画像信号を生成する信号生成手段と、
上記カラー画像信号生成手段により生成されたカラー画像信号と前記輝度基準画像の画像信号を用いて、前記入力カラー画像信号に基づく表示画像と上記輝度基準画像を合わせて表示する画像信号を生成する混合手段と、
上記輝度基準画像の表示を指示するための操作手段と、
上記操作手段の操作により輝度基準画像の表示が指示されたことを受け付けて、上記混合手段の動作を切り換える制御手段とを備え、
上記操作手段の操作により輝度基準画像の表示が指示されると、上記カラー画像信号生成手段により生成されたカラー画像信号の輝度信号のみによる白黒画像の画像信号に輝度基準画像の画像信号を混合して出力することを特徴とするカラー撮像装置。
【請求項４】
カラー撮像装置から供給されるモニター用のカラー画像信号による画像を表示するビューファインダ装置であって、
輝度判別の基準となる輝度基準画像の画像信号を生成する信号生成手段と、
入力カラー画像信号と前記輝度基準画像の画像信号を用いて、前記入力カラー画像信号に基づく表示画像と上記輝度基準画像を合わせて表示する画像信号を生成する混合手段と、
上記混合手段から出力される画像信号を表示する表示手段と、
上記輝度基準画像の表示を指示するための操作手段と、
上記操作手段の操作により輝度基準画像の表示が指示されたことを受け付けて、上記混合手段の動作を切り換える制御手段とを備え、
上記操作手段の操作により輝度基準画像の表示が指示されると、入力カラー画像信号の輝度信号のみによる白黒画像の画像信号に輝度基準画像の画像信号を混合することにより、上記入力カラー画像信号に基づく白黒画像と上記輝度基準画像を合わせて表示することを特徴とするビューファインダ装置。
【請求項５】
上記制御手段は、上記カラー撮像装置との間で制御情報の授受を行う通信機能を備え、上記通信機能により、上記カラー撮像装置側に輝度基準画像の表示制御機能の有無を問い合わせることを特徴とする請求項４記載のビューファインダ装置。
【発明の詳細な説明】
【０００１】
【発明の属する技術分野】
本発明は、入力画像信号や撮影画像信号に輝度判別の基準となる輝度基準画像の画像信号を用いて、入力画像信号に基づく表示画像や撮影画像と輝度基準画像を合わせて表示することで、撮影画像の明るさの確認等を容易に行えるようにする画像表示制御装置、画像表示制御方法、カラー撮像装置及びビューファインダ装置に関する。
【０００２】
【従来の技術】
撮像装置例えばビデオカメラでは、陰極線管等の画像表示デバイスを用いて構成された画像表示装置である電子ビューファインダの画面上に撮影画像が表示される。また、電子ビューファインダでは、表示画像の輝度やコントラストが調整可能とされており、撮影毎及び各ビデオカメラ毎に、表示画像の輝度やコントラストが一定となるように波形モニタ装置やゼブラパターンを用いて調整が行われる。
【０００３】
例えば、ビューファインダに表示される被写体の画像に対して、所定の輝度レベルに対応させて、斜め縞パターンを同時に表示させることが行われている。
【０００４】
この場合に使用される斜め縞パターンは、ゼブラパターンと呼ばれており、その輝度は絞り調整に便利な所定のレベルに設定される。例えば、このゼブラパターンは、国際ラジオ技術協会（ＩＲＥ）により規定されている映像信号部１００ＩＲＥ（ＮＴＳＣ信号では１ＩＲＥ＝７．１４ｍＶに相当する）を越える輝度部分に形成される。このゼブラパターンは、ビューファインダには表示されるが、撮像記録信号には含まれず、ラインアウト系の信号表示には表示されない。
【０００５】
そして、撮影者は、ビューファインダに表示されるゼブラパターンによって、被写体の撮像画像に１００ＩＲＥを越える輝度レベルの部分が予め設定した所定の条件下で存在することを知り、撮像画像の輝度が所望の値になるように絞りを設定して、撮像を行うことにより被写体の高品質の撮像記録が行われる（例えば、特許文献１参照）。
【０００６】
また、テレビジョン番組制作等では、番組の撮影や編集及び送出等のディジタル化が図られているが、ディジタル技術の進展に伴う高画質化や機器の低価格化に伴い、映画製作等においてもディジタル化が進められており、例えばフィルムに撮影画像を記録するフィルムカメラに代えて、撮影画像の画像信号を得るビデオカメラが用いられている。
【０００７】
ここで、フィルムカメラを用いる場合、効果的な演出を行うためだけでなく、フィルムカメラのビューファインダー上の画像とフィルムに記録された画像とで輝度レベルが異なることから、照度計を用いて被写体の受光量を測定して露出を調整する操作が行われている。また、ビデオカメラを用いる場合にも、ビデオカメラのダイナミックレンジはフィルムカメラに比べて狭く、被写体の受光量の差が与える影響が大きいことから、照度計を用いて被写体の受光量を精度良く管理することが行われている。
【０００８】
【特許文献１】
特開平１１−２７５４０２号公報
【０００９】
【発明が解決しようとする課題】
ところで、ゼブラパターンを用いた絞り調整では、比較的に簡単にかつ短時間で絞り調整を行うことができ、撮影中にビューファインダの画面中の例えば人の顔の肌の部分にゼブラ信号が発生するように適正な値に調整することができる。
【００１０】
しかし、基準の輝度レベルを切り換えて絞り調整を行うような場合には、その切換操作を必要とする。すなわち、カメラマンは、自分の希望する基準の輝度レベルを設定するために、スイッチ操作を必要とする。例えば明るい背景の人の顔を撮影する時には、背景及び人の顔の双方がなるべく適切なレベルとなるように絞りを調整する必要があり、この場合では、スイッチ切り換えが煩雑となる問題があった。
【００１１】
また、波形モニタ装置を用いた絞り調整では、その調整作業に手間と時間を要し、テレビジョン番組制作等のように、撮影が長時間・長期間に渡る場合や、撮影に用いられるビデオカメラの台数が多いと、調整のための時間や労力が多大となると共に、調整のための機器も多く必要となってしまう。
【００１２】
また、屋外撮影では天候の変化や時間の経過と共に被写体の受光量が変化してしまう。このため、所望の撮影画像を得るためには、多数点の受光量を度々測定して、測定結果に基づきビデオカメラの絞り調整等を行う必要があり、効率よく撮影を行うことができない。
【００１３】
そこで、本発明の目的は、画像表示装置の輝度やコントラストの調整を容易に行うことができると共に、撮影画像の明るさを容易に確認できる画像表示制御装置と画像表示制御方法、カラー撮像装置及びビューファインダ装置を提供することにある。
【００１４】
【課題を解決するための手段】
本発明に係る画像表示制御装置は、輝度判別の基準となる輝度基準画像の画像信号を生成する信号生成手段と、入力カラー画像信号と前記輝度基準画像の画像信号を用いて、前記入力カラー画像信号に基づく表示画像と上記輝度基準画像を合わせて表示する画像信号を生成する混合手段と、上記輝度基準画像の表示を指示するための操作手段と、上記操作手段の操作により輝度基準画像の表示が指示されたことを受け付けて、上記混合手段の動作を切り換える制御手段とを備え、上記操作手段の操作により輝度基準画像の表示が指示されると、入力カラー画像信号の輝度信号のみによる白黒画像の画像信号に輝度基準画像の画像信号を混合して出力することを特徴とする。
【００１５】
また、本発明に係る画像表示制御方法は、入力カラー画像信号によるカラー画像を表示する状態において、輝度基準画像の表示が指示されると、輝度判別の基準となる輝度基準画像の画像信号を入力カラー画像信号の輝度信号のみによる白黒画像の画像信号に混合して、上記入力カラー画像信号に基づく白黒画像と上記輝度基準画像を合わせて表示することを特徴とする。
【００１６】
また、本発明に係るカラー撮像装置は、被写体を撮影してカラー画像信号を生成するカラー画像信号生成手段と、輝度判別の基準となる輝度基準画像の画像信号を生成する信号生成手段と、上記カラー画像信号生成手段により生成されたカラー画像信号と前記輝度基準画像の画像信号を用いて、前記入力カラー画像信号に基づく表示画像と上記輝度基準画像を合わせて表示する画像信号を生成する混合手段と、上記輝度基準画像の表示を指示するための操作手段と、上記操作手段の操作により輝度基準画像の表示が指示されたことを受け付けて、上記混合手段の動作を切り換える制御手段とを備え、上記操作手段の操作により輝度基準画像の表示が指示されると、上記カラー画像信号生成手段により生成されたカラー画像信号の輝度信号のみによる白黒画像の画像信号に輝度基準画像の画像信号を混合して出力することを特徴とするカラー撮像装置。
【００１７】
さらに、本発明は、カラー撮像装置から供給されるモニター用のカラー画像信号による画像を表示するビューファインダ装置であって、輝度判別の基準となる輝度基準画像の画像信号を生成する信号生成手段と、入力カラー画像信号と前記輝度基準画像の画像信号を用いて、前記入力カラー画像信号に基づく表示画像と上記輝度基準画像を合わせて表示する画像信号を生成する混合手段と、上記混合手段から出力される画像信号を表示する表示手段と、上記輝度基準画像の表示を指示するための操作手段と、上記操作手段の操作により輝度基準画像の表示が指示されたことを受け付けて、上記混合手段の動作を切り換える制御手段とを備え、上記操作手段の操作により輝度基準画像の表示が指示されると、入力カラー画像信号の輝度信号のみによる白黒画像の画像信号に輝度基準画像の画像信号を混合することにより、上記入力カラー画像信号に基づく白黒画像と上記輝度基準画像を合わせて表示することを特徴とする。
【００１８】
本発明に係るビューファインダ装置において、上記制御手段は、モニター用のカラー画像信号を供給する撮像装置との間で制御情報の授受を行う通信機能を備え、上記通信機能により、上記撮像装置側に輝度基準画像の表示制御機能の有無を問い合わせるものとすることができる。
【００１９】
【発明の実施の形態】
以下、本発明の実施の形態について、図を参照して詳細に説明する。
【００２０】
本発明は、例えば図１に示すような構成のビデオカメラ１００に適用される。
【００２１】
このビデオカメラ１００は、撮像レンズ系１０を介して撮像光が入射される撮像部１２を備え、当該ビデオカメラ１００に接続される機器に応じた形式の撮像出力信号ＣＭｏｕｔを上記撮像部１２による撮像信号Ｓｐａから生成して出力する本線系ブロック１１、上記本線系ブロック１１により得られる画像信号Ｄｑからモニタ用の撮像出力信号ＭＴｏｕｔを生成して出力するモニタ系ブロック３０、上記本線系ブロック１１及びモニタ系ブロック３０の動作を制御する制御部５０、上記制御部５０にユーザ操作に応じた操作信号ＰＳを供給するための操作部５１等からなる。
【００２２】
このビデオカメラ１００において、撮像レンズ系１０を通して入射された光は、本線系ブロック１１を構成する撮像部１２に入射されて、撮像面上に被写体画像が結像される。撮像部１２は、固体撮像素子例えばＣＣＤイメージセンサを用いて構成されており、光電変換によって被写体画像に応じた三原色の撮像信号Ｓｐａを生成してＣＤＳ（ｃｏｒｅｌａｔｅｄ　ｄｏｕｂｌｅ　ｓａｍｐｌｉｎｇ）／ＡＧＣ１３に供給する。
【００２３】
ＣＤＳ／ＡＧＣ１３では、相関二重サンプリング処理を行い、撮像信号Ｓｐａからノイズ成分を除去する。さらにノイズ成分を除去した信号を所定の信号レベルに増幅して撮像信号Ｓｐｂとして低域フィルタ１４に供給する。低域フィルタ１４では、ＣＤＳ／ＡＧＣ１３から供給された撮像信号Ｓｐｂから、原信号スペクトル成分を取り出して撮像信号Ｓｐｃとしてアンプ１５に供給する。アンプ１５では供給された撮像信号Ｓｐｃを増幅して撮像信号ＳｐｄとしてＡ／Ｄ変換器１６に供給する。Ａ／Ｄ変換器１６では、供給された撮像信号Ｓｐｄをディジタルの撮像信号Ｄｐに変換してカメラ信号処理部２０に供給する。
【００２４】
カメラ信号処理部２０では、良好な撮像画像を得ることができるように、供給された撮像信号Ｄｐに対して信号処理を行う。例えば、シェーディング補正やマスキング補正、ニー補正、γ補正、輪郭補償等の信号処理を行い、撮像信号Ｄｐから画像信号Ｄｑを生成してセレクタ２５とモニタ系ブロック３０の画像表示制御部３１に供給する。
【００２５】
画像表示制御部３１では、撮影画像の輝度を判別するための基準となる輝度基準画像の画像信号Ｄｒを生成すると共に、この画像信号Ｄｒとカメラ信号処理部２０から供給された画像信号Ｄｑを用いて、撮影画像と輝度基準画像が合わせて表示される画像信号を生成する。さらに生成された画像信号に対して信号処理、例えば輝度やコントラスト調整等の処理を行い、得られた画像信号Ｄｕをモニタ出力処理部３５と本線系ブロック１１のセレクタ２５に供給する。
【００２６】
図２は、画像表示制御部３１の構成を示している。カメラ信号処理部２０から供給された画像信号Ｄｑは判別回路３１１と混合回路３１３に供給される。判別回路３１１では、画像信号Ｄｑの信号判別を行う。この信号判別では、画像信号Ｄｑの信号フォーマットや画像信号Ｄｑに基づく撮影画像の色判別を行い、判別結果を示す判別信号Ｈａを生成して後述する制御部５０に供給する。
【００２７】
また、画像表示制御部３１には輝度基準信号生成回路３１２が設けられており、この輝度基準信号生成回路３１２では、後述する制御部５０から供給された制御信号ＣＴｒに基づき、判別回路３１１で判別された画像信号Ｄｑの信号フォーマットに対応させて、撮影画像の輝度を判別するための基準となる輝度基準画像の画像信号Ｄｒを生成する。この輝度基準信号生成回路３１２で生成された輝度基準画像の画像信号Ｄｒは混合回路３１３に供給される。
【００２８】
混合回路３１３では、制御部５０からの制御信号ＣＴｍに基づき、撮影画像の画像信号Ｄｑと輝度基準画像の画像信号Ｄｒを用いて撮影画像と輝度基準画像を合わせて表示する画像信号Ｄｓを生成して、輝度／コントラスト調整回路３１４に供給する。例えば、画像信号Ｄｑの一部を画像信号Ｄｑに換えてあるいは画像信号Ｄｑに画像信号Ｄｒを追加する等の処理を行い画像信号Ｄｓを生成し、この画像信号Ｄｓを輝度／コントラスト調整回路３１４に供給する。
【００２９】
輝度／コントラスト調整回路３１４では、所望の輝度及びコントラストの表示画像を得ることができるように、制御部５０から供給された制御信号ＣＴｂｃに基づいて、混合回路３１３から供給された画像信号Ｄｓの信号レベルを調整する。この輝度／コントラスト調整回路３１４で信号レベルの調整が行われた画像信号Ｄｓは、画像信号Ｄｔとして識別表示信号重畳回路３１５に供給される。
【００３０】
識別表示信号重畳回路３１５では、輝度／コントラスト調整回路３１４から供給された画像信号Ｄｔの信号レベルと、制御部５０から供給された制御信号ＣＴｚに基づいて設定した所望の輝度範囲を示す範囲設定信号レベルとを比較する。ここで、画像信号Ｄｔの信号レベルが範囲設定信号レベルで示された範囲内であるとき、所望の輝度範囲であることを容易に識別可能とする識別表示信号、例えば所望の輝度範囲であることを縞模様表示とするゼブラ信号を画像信号Ｄｔに重畳させる。この識別表示信号重畳回路３１５で識別表示信号の重畳処理が行われた画像信号Ｄｔは、画像信号Ｄｕとして図１のモニタ出力処理部３５と本線系ブロック１１のセレクタ２５に供給される。
【００３１】
セレクタ２５では、制御部５０からの制御信号に基づき、カメラ信号処理部２０から供給された画像信号Ｄｑ、あるいは画像表示制御部３１から供給された画像信号Ｄｕのいずれかを選択してカメラ出力処理部２８に供給する。
【００３２】
カメラ出力処理部２８では、セレクタ２５から供給された画像信号Ｄｑあるいは画像信号Ｄｕを、ビデオカメラに接続される機器に応じた信号ＣＭｏｕｔに変換して出力する。例えば、コンポーネント信号に対応した機器やコンポジット信号に対応した機器が接続される場合には、それぞれの機器に応じた信号ＣＭｏｕｔに変換して出力する。またＳＭＰＴＥ２５９Ｍとして規格化されているシリアルディジタルインタフェース等を介して画像信号を伝送する場合には、セレクタ２５から供給された画像信号を用いてインタフェース規格に応じた伝送データを生成して信号ＣＭｏｕｔとして出力する。
【００３３】
モニタ出力処理部３５では、画像表示制御部３１の識別表示信号重畳回路３１５から供給された画像信号Ｄｕを、撮影画像モニタ用の画像表示装置、例えば電子ビューファインダに応じた信号ＭＴｏｕｔに変換して出力する。例えば画像表示装置がアナログ信号を用いるものであるときには、画像信号Ｄｕをアナログ信号に変換して信号ＭＴｏｕｔとして出力する。
【００３４】
制御部５０には、操作部５１が接続されており、操作部５１をビデオカメラのユーザが操作すると、ユーザ操作に応じた操作信号ＰＳが操作部５１から制御部５０に供給される。制御部５０では、この操作信号ＰＳに基づき各種の制御信号ＣＴを生成して、ビデオカメラの本線系ブロック１１やモニタ系ブロック３０に供給することで、ユーザ操作に応じてビデオカメラを動作させる。また、制御部５０には、上述したように判別回路３１１から判別信号Ｈａが供給されており、この判別信号Ｈａや操作信号ＰＳに基づき制御信号ＣＴｒ，ＣＴｍ，ＣＴｂｃ，ＣＴｚを生成してモニタ系ブロック３０に供給する。
【００３５】
次に、このビデオカメラ１００における画像表示制御部３１の動作について説明する。
【００３６】
上記画像表示制御部３１は、このビデオカメラ１００が通常の撮像動作を行っている場合には、モニタ系ブロック３０から供給されるクロマ信号と輝度信号からなるカラー画像信号の撮像信号Ｄｐをモニター用の画像信号Ｄｕとして出力しており、輝度基準画像の表示を指定する操作入力を制御部５０が操作部５１から受け付けることにより、上記輝度基準信号生成回路３１２により生成される輝度基準画像表示用の画像信号Ｄｒを混合回路３１３により輝度信号のみからなる白黒画像信号に混合して、輝度基準画像を重畳した白黒画像の画像信号Ｄｕを生成するように動作が切り換えられる。
【００３７】
図３は、輝度基準信号生成回路３１２で生成された画像信号Ｄｒに基づく輝度基準画像の一形態を示している。表示画面の左側には、例えば低輝度から高輝度までを段階的に所定の輝度差を持って表示する連続的輝度基準画像が表示される。なお、図では例えば輝度レベル「０％（０ＩＲＥ）〜１１０％（１１０ＩＲＥ）」までを１０％（１０ＩＲＥ）毎に段階的に表示した場合を示している。また、連続的輝度基準画像内には輝度レベルの目安となる仕切表示を設けることで、いずれの表示がどの位の輝度レベルであるかを容易に判別できる。例えば輝度レベル「５０％」と輝度レベル「６０％」の表示の境界を示す仕切表示、及び輝度レベル「１００％」と輝度レベル「１１０％」の表示の境界を示す仕切表示を設けることで、連続的輝度基準画像の各輝度レベルを容易に判別できる。
【００３８】
表示画面の右側には、例えば複数の高輝度調整用輝度基準画像と複数の低輝度調整用輝度基準画像が表示される。この複数の高輝度調整用輝度基準画像では、隣接する高輝度調整用輝度基準画像との輝度差が少ないものとされている。同様に、複数の低輝度調整用輝度基準画像では、隣接する低輝度調整用輝度基準画像との輝度差が少ないものとされている。ここで、各ビデオカメラ１００では、複数の高輝度調整用輝度基準画像において、輝度差を判別できる輝度基準画像の位置が等しくなるように輝度／コントラスト調整回路３１４で画像信号Ｄｓの信号レベルを調整する。また、複数の低輝度調整用輝度基準画像において、輝度差を判別できる輝度基準画像の位置が等しくなるように輝度／コントラスト調整回路３１４で画像信号Ｄｓの信号レベルを調整する。
【００３９】
例えば、高輝度調整用輝度基準画像ＰＲＨ−１と高輝度調整用輝度基準画像ＰＲＨ−２との輝度差は判別できず、高輝度調整用輝度基準画像ＰＲＨ−２と高輝度調整用輝度基準画像ＰＲＨ−３との輝度差は判別可能とし、低輝度調整用輝度基準画像ＰＲＬ−３と低輝度調整用輝度基準画像ＰＲＬ−２との輝度差は判別できず、低輝度調整用輝度基準画像ＰＲＬ−２と低輝度調整用輝度基準画像ＰＲＬ−１との輝度差は判別可能となるように調整を行う。このように、高輝度調整用輝度基準画像と低輝度調整用輝度基準画像において、輝度差を判別できる輝度基準画像の位置が等しくなるように、輝度／コントラスト調整回路３１４で画像信号Ｄｓの信号レベルの調整を各ビデオカメラで行うことにより、信号ＭＴｏｕｔに基づいて撮影画像をモニタするための画像表示装置、例えば電子ビューファインダにおける輝度やコントラストの特性を等しくできる。
【００４０】
高輝度調整用輝度基準画像ＰＲＨと低輝度調整用輝度基準画像ＰＲＬとの間には、撮影者の使用頻度の高い所望の階調を示す撮影輝度基準画像を表示する。例えば肌色部分の輝度レベルを適正な輝度レベルに調整できるように、所望の輝度範囲を段階的に所望の輝度差を持って表示する撮影輝度基準画像を表示する。このように、撮影者の使用頻度が高い輝度レベルに応じた撮影輝度基準画像を表示することで、この撮影輝度基準画像を利用して、撮影時に被写体の輝度が所望の輝度レベルとなるように撮影条件の調整を簡単に行うことができる。
【００４１】
なお、高輝度調整用輝度基準画像と撮影輝度基準画像との間、及び低輝度調整用輝度基準画像と撮影輝度基準画像との間に仕切表示を設けるものとすれば、高輝度調整用輝度基準画像と低輝度調整用輝度基準画像及び撮影輝度基準画像を簡単に区分できる。
【００４２】
また、図３に示す輝度基準画像での輝度レベル範囲や階調数、輝度レベルの表示位置や表示形状等は例示的なものであり、限定的なものでないことは勿論である。さらに、輝度基準画像の階調数や輝度レベル等は、予め設定しておくものとしても良く、また撮影画像に応じて輝度基準画像を変更するものとしても良い。例えば、撮影画像における全画素の平均値や標準偏差を算出して、輝度基準画像の輝度レベル範囲や階調数等を変化させる。この場合、暗い撮影画像では輝度レベルの低い輝度基準画像を表示するものとしたり、輝度レベルの高い輝度基準画像の表示を行わないものとして階調数を少なくする。また、輝度レベルの差が少ない撮影画像では、撮影画像の輝度レベル範囲の輝度基準画像表示を行うと共に、各階調の輝度レベル差を少なくして、詳細な輝度基準画像表示を行うものとする。このように撮影画像に応じて輝度基準画像を変更することで、輝度基準画像を有効かつ効果的に利用できる。
【００４３】
次に、撮影画像と輝度基準画像を合わせて表示する場合の動作について説明する。なお、撮影画像をモニタするために用いる画像表示装置の表示画面は、アスペクト比が例えば「１６：９」であるものとして以下の説明を行う。
【００４４】
図４は、撮影画像の一部を輝度基準画像に置き換えて表示する場合を示している。ここで、判別回路３１１によって判別された撮影画像の画像信号Ｄｑの信号フォーマットが、アスペクト比「１６：９」であると制御部５０で判別された場合、制御部５０では判別信号Ｈａに基づき制御信号ＣＴｒを生成して輝度基準信号生成回路３１２に供給すると共に、制御信号ＣＴｍを生成して混合回路３１３に供給する。
【００４５】
輝度基準信号生成回路３１２では、画像信号Ｄｑの信号フォーマットと等しい信号フォーマットであると共に、図３に示す輝度基準画像を表示する画像信号Ｄｒを生成して混合回路３１３に供給する。混合回路３１３では、制御信号ＣＴｍに基づき表示画面の左側端部側や右側端部側では、画像信号Ｄｒを選択し、表示画面の中央部分では画像信号Ｄｑを選択する。
【００４６】
この場合、図４に示すように表示画面の左側端部側や右側端部側では、撮影画像に換えて輝度基準画像が表示されるので、この撮影輝度基準画像や連続的輝度基準画像を利用して、被写体が所望の明るさとなるように撮影条件例えば照明や撮像レンズ系１０の絞りを簡単に調整することができる。また、高輝度調整用輝度基準画像や低輝度調整用輝度基準画像を利用して画像表示装置の輝度調整やコントラスト調整を行うことができる。なお、混合回路３１３では、画像信号Ｄｑに換えて画像信号Ｄｒを選択することにより輝度基準画像を表示するものとしたが、表示画面の左側端部側や右側端部側で画像信号Ｄｑに画像信号Ｄｒを上書きして輝度基準画像を表示させるものとしても良い。また、画像信号Ｄｑに換えて画像信号Ｄｒを選択したり画像信号Ｄｑに画像信号Ｄｒを上書きすることで輝度基準画像を表示するものであることから、輝度基準画像を表示するための構成が簡単である。
【００４７】
ところで、図４に示す場合には、撮影画像の一部が輝度基準画像に置き換えられてしまうため、撮影画角内にどのような被写体が含まれているか判別することができなくなってしまう。このため、表示画面上に撮影画像を表示したときに、画像の無い空き領域が生じるように撮影画像を縮小して表示する。例えば撮影画像を水平方向に圧縮して、撮影画像の左右両側に空き領域を設け、この空き領域に輝度基準画像を表示する。この場合、判別回路３１１では画像信号Ｄｑの信号フォーマットを判別して制御部５０に通知し、制御部５０では判別信号Ｈａに基づき撮影画像のアスペクト比と表示画面のアスペクト比が略一致すると判別したときに混合回路３１３の動作を制御して、信号の切り換えあるいは信号の上書きを行うだけでなく、撮影画像の縮小処理を行わせる。例えば画像信号Ｄｑに対して水平方向の画素間引き処理を行い、撮影画像を水平方向に圧縮する。
【００４８】
この縮小処理を行った画像信号Ｄｑを表示画面の中央部分で選択し、空き領域の部分では輝度基準画像の画像信号Ｄｒを選択すると、図５に示すように、表示画面の左側端部側や右側端部側で輝度基準画像を表示させることができると共に、画面中央には撮影画像全体を表示させることができるので、撮影条件や画像表示装置の輝度調整及びコントラスト調整を簡単に行うことができるだけでなく、撮影画角内にどのような被写体が含まれているか正しく判別できる。
【００４９】
次に、撮影画像のアスペクト比と画像表示装置の表示画面のアスペクト比が一致しないときには、撮影画像を画像表示装置の表示画面に表示したときに生じる空き領域を利用して輝度基準画像を表示する。例えば、判別回路３１１によって判別された画像信号Ｄｑの信号フォーマットが、表示画面よりも縦長であるアスペクト比「４：３」であると制御部５０で判別された場合、制御部５０では判別信号Ｈａに基づき制御信号ＣＴｒを生成して輝度基準信号生成回路３１２に供給すると共に、制御信号ＣＴｍを生成して混合回路３１３に供給する。混合回路３１３では、制御信号ＣＴｍに基づき表示画面の左側端部側では画像信号Ｄｒを選択する。また、この左側端部側の輝度基準画像表示分だけ画像信号Ｄｑを遅延させて、表示画面の中央部分の信号として、この遅延された画像信号Ｄｑを選択する。さらに、画像信号Ｄｑの終了後は画像信号Ｄｒを選択する。この場合には、図６に示すように、表示画面の中央にアスペクト比が「４：３」である撮影画像を表示できると共に、撮影画像の左右側の空き領域を有効に活用して輝度基準画像を表示できる。
【００５０】
また、判別回路３１１によって判別された画像信号Ｄｑの信号フォーマットが、映画のビスタサイズ「１．８５：１」やシネマスコープサイズ「２．３９：１」のように、表示画面よりも横長であると制御部５０で判別された場合、制御部５０では判別信号Ｈａに基づき制御信号ＣＴｒを生成して輝度基準信号生成回路３１２に供給して、輝度基準画像を水平方向に表示する画像信号Ｄｒを生成する。混合回路３１３では、制御信号ＣＴｍに基づき表示画面の上端部側の所定垂直期間では画像信号Ｄｒを選択する。また、この上端部側の所定垂直期間分だけ画像信号Ｄｑを遅延させて、画面の中央部分の垂直走査期間では遅延された画像信号Ｄｑを選択するものとし、その後、表示画面の下端部側の所定垂直期間では画像信号Ｄｒを選択する。この場合には、図７に示すように、表示画面の中央に横長の撮影画像を表示できると共に、撮影画像の上下側に輝度基準画像を表示できる。
【００５１】
さらに輝度基準画像は、図３に示すように、１つの輝度を矩形状表示として示すと共に、輝度が異なる複数の矩形状表示を並べて輝度基準画像を形成したが、１つの輝度を示す表示は矩形状表示に限られるものではなく、他の形状を用いることができる。例えば、図８に示すように、輝度の異なる楕円形状の表示を複数設けるものとしても良い。
【００５２】
ところで、画面上に表示された輝度基準画像と、撮影画像上の所望の被写体とを比較して、被写体の輝度を判別する場合、輝度基準画像と輝度を判別する被写体の位置が離れていると、被写体の輝度を簡単かつ正しく判別することが難しくなってしまう。このため、図２に示す識別表示信号重畳回路３１５では、画像信号Ｄｔの信号レベルが所定の輝度範囲内であるとき、識別表示信号を画像信号Ｄｔに重畳させて画像信号Ｄｕとして図１のモニタ出力処理部３５と本線系ブロック１１のセレクタ２５に供給する。
【００５３】
このため、操作部５１を操作して識別表示を行う輝度範囲を設定したときには、図９に示すように、設定された輝度範囲内の輝度基準画像上に識別表示例えば縞模様表示が重畳される。また、撮影画面上においても設定された輝度範囲内の被写体画像上に識別表示が重畳されるので、被写体の輝度を正しくかつ容易に判別することができる。また、識別表示として縞模様表示を行う場合、従来より用いられているセブラ信号の発生回路を流用することができるので、簡単に識別表示を重畳させることができる。
【００５４】
さらに、輝度基準画像と輝度を判別する被写体の位置が離れているときでも、被写体の輝度を簡単かつ正しく判別することができるように、輝度基準画像の位置あるいは撮影画像の位置を移動可能としても良い。ここで、画像の位置を移動させる場合、撮影画像に比べて表示面積の小さい画像である輝度基準画像を移動させることにより、画像移動のための信号処理量を少なくできる。輝度基準画像の移動では、複数の輝度表示全体を移動しても良く、所望の輝度表示を選択して、この選択した輝度表示のみを図１０に示すように移動可能とすれば、画像の移動のための信号処理量を更に少なくして、効率よく画像の移動を行うことができる。また、所望の輝度の輝度基準画像のみを表示して移動可能としても良い。このようにして、画像を移動可能としたときには、所望の輝度の輝度基準画像と撮影画像の所望の位置とを近接させることができるので、輝度基準画像と輝度を判別する被写体の位置が離れている場合に比べて、簡単かつ正しく輝度判別を行うことができる。
【００５５】
ここで、上記制御部５０は、輝度基準画像の表示の指定解除を指示する操作入力を操作部５１から受け付けると、上記画像表示制御部３１の動作をカラー画像の画像信号を出力する状態に切り換えて、このビデオカメラ１００を通常の撮像動作状態に戻す。
【００５６】
なお、上述の実施の形態では、判別回路３１１によって画像信号Ｄｑに基づき、種々の判別を行い、輝度基準画像の表示を自動的に制御するものとしたが、操作部５１を操作して、輝度基準画像の表示を手動で制御するものとしても良いことは勿論である。
【００５７】
ところで、撮影画像の輝度を判別する場合、どのような被写体を撮影するかあるいはどのような撮影画像を創るかによって、明るい部分を重視した輝度基準画像や暗い部分を重視した輝度基準画像が必要とされるときがある。また、撮影者によって希望する輝度基準画像が異なる場合もある。このような場合、輝度基準画像の階調数や各階調の輝度レベル等をその都度設定すると、操作が煩雑となり速やかに撮影を行うことができなくなってしまう。このため、どのような階調数でどのような輝度レベルの輝度基準画像をどのように表示するかを設定するための輝度基準画像設定情報を、記憶手段例えば図２に示す不揮発性メモリ３１６に記憶させておくものとする。このように記憶手段に輝度基準画像設定情報を記憶させておけば、所望の設定情報を記憶手段から読み出すだけで所望の輝度基準画像を速やかに表示させることができる。また、記憶手段を着脱可能に構成すれば、この記憶手段を他のビデオカメラに装着するだけで、所望の輝度基準画像を表示することが可能となり、使用するビデオカメラを交換する毎に輝度基準画像の階調数や各階調の輝度レベル等を設定する必要が無く、速やかに撮影を開始することができる。
【００５８】
また、上述の実施の形態では、撮影画像の画像信号を得る本線系ブロック１１と撮影画像を表示するためのモニタ系ブロック３５を有したビデオカメラ１００について説明したが、本線系ブロック１１とモニタ系ブロック３５を分離して、本線系ブロックをビデオカメラに設け、画像表示装置側にモニタ系ブロックを設けるものとしても良い。この場合、画像表示装置にも制御部５０や操作部５１に相当する構成を設けて、上述のように画像表示制御部３１の動作等を制御する。
【００５９】
このように画像表示装置にモニタ系ブロックを設けるものとすれば、輝度基準画像を表示する機能を有していないビデオカメラを用いる場合でも、この画像表示装置を接続するだけで、容易かつ精度良く輝度の判別を行うことが可能となり、機能の向上を図ることができる。
【００６０】
すなわち、本発明は、例えば図１１に示すような構成のビューファインダ装置２００に適用することができる。
【００６１】
この図１１に示すビューファインダ装置２００は、ビデオカメラ１００Ａ側のモニタ出力処理部３５からモニター用のカラー画像信号ＭＴｏｕｔが供給される画像表示制御部２３１、この画像表示制御部２３１の出力画像信号が供給される液晶表示部２４０、上記画像表示制御部２３１の動作を制御する制御部２５０、上記制御部２５０にユーザ操作に応じた操作信号ＰＳを供給するための操作部２５１等からなる。
【００６２】
このビューファインダ装置２００において、上記画像表示制御部２３１は、上述の図２に示した画像表示制御部３１と同様な構成のもの用いられている。上記画像表示制御部２３１は、ビデオカメラ１００Ａ側のモニタ出力処理部３５から供給されるモニター用のクロマ信号と輝度信号からなるカラー画像信号ＭＴｏｕｔによりカラー画像を液晶表示部２４０で表示しており、輝度基準画像の表示を指定する操作入力を制御部２５０が操作部２５１から受け付けることにより、上記輝度基準信号生成回路３１２により生成される輝度基準画像表示用の画像信号Ｄｒを混合回路３１３により輝度信号のみからなる白黒画像信号に混合して、輝度基準画像を重畳した白黒画像の画像信号Ｄｕを生成するように動作が切り換えられる。
【００６３】
また、このビューファインダ装置２００において、制御部２５０は、ビデオカメラ１００Ａ側の制御部５０と制御情報の授受を行うための例えばＩ２Ｃバスによる通信機能を備えている。そして、上記制御部２５０は、上記通信機能によりビデオカメラ１００Ａ側に輝度基準画像の表示制御機能が搭載されているか否かを問い合わせて、上記ビデオカメラ１００Ａ側に輝度基準画像の表示制御機能が搭載されている場合には、輝度基準画像の表示を指定する操作入力を操作部２５１から受け付けたこと示す制御情報を上記通信機能により上記ビデオカメラ１００Ａ側の制御部５０に送って、上記ビデオカメラ１００Ａ側の輝度基準画像の表示制御機能により輝度基準画像をモニタ画像に重畳させる。また、上記制御部２５０は、上記通信機能によりビデオカメラ１００Ａ側に輝度基準画像の表示制御機能が搭載されているか否かを問い合わせた結果、応答がない場合には、上記ビデオカメラ１００Ａ側に輝度基準画像の表示制御機能が搭載されていないと判断して、当該ビューファインダ装置２００に搭載されている輝度基準画像の表示制御機能により輝度基準画像をモニタ画像に重畳して表示する制御を行う。
【００６４】
このように、上述の実施の形態によれば、撮影の際に基準となる輝度基準画像を表示することができると共に、この輝度基準画像を撮影画像と合わせて表示することができるので、画像表示装置の輝度調整やコントラスト調整を簡単かつ精度良く行うことができる。
【００６５】
また、撮影画像と輝度基準画像を比較するだけで、被写体の明るさを判別できるので、照度計や波形モニタを用いることなく、簡単に所望の信号レベルの画像を得ることができる。さらに、輝度基準画像では、様々な輝度レベルが表示されることから、撮影画像上の異なる複数位置の明るさを同時に把握することもできる。
【００６６】
【発明の効果】
本発明によれば、入力カラー画像信号によるカラー画像を表示する状態において、輝度基準画像の表示が指示されると、輝度判別の基準となる輝度基準画像の画像信号を入力カラー画像信号の輝度信号のみによる白黒画像の画像信号に混合して、上記入力カラー画像信号に基づく白黒画像と上記輝度基準画像を合わせて表示するので、入力カラー画像信号に基づく白黒画像画像と輝度基準画像を比較することで、明るさを容易かつ精度良く判別できる。
【００６７】
また、入力カラー画像信号に基づく白黒画像画像と輝度基準画像の表示機能を搭載したビューファインダ装置を提供することにより、輝度基準画像の表示機能のないカラー撮像装置における撮像画像の明るさを容易かつ精度良く判別することができる。
【図面の簡単な説明】
【図１】本発明に係るビデオカメラの構成を示すブロック図である。
【図２】画像表示制御部の構成を示すブロック図である。
【図３】輝度基準画像の一形態を示す図である。
【図４】撮影画像の一部を輝度基準画像に置き換えて表示した場合を示す図である。
【図５】撮影画像全体を表示できるようにした場合を示す図である。
【図６】空き領域を利用して輝度基準画像を左右に表示した場合を示す図である。
【図７】空き領域を利用して輝度基準画像を上下に表示した場合を示す図である。
【図８】輝度基準画像を楕円形状とした場合を示す図である。
【図９】輝度識別画像を重畳させた場合を示す図である。
【図１０】輝度基準画像を撮影画像上で移動可能とした場合を示す図である。
【図１１】本発明に係るビューファインダ装置の構成を示すブロック図である。
【符号の説明】
１０　撮像レンズ系、１１　本線系ブロック、１２　撮像部、１３　ＣＤＳ／ＡＧＣ、１４　低域フィルタ、１５　アンプ、１６　Ａ／Ｄ変換器、２０　カメラ信号処理部、２５　セレクタ、２８　カメラ出力処理部、３０　モニタ系ブロック、３１　画像表示制御部、３５　モニタ出力処理部、５０　制御部、５１　操作部、１００，１００Ａ　ビデオカメラ、２００　ビューファインダ装置、２３１　画像表示制御部、２４０　液晶表示部、２５０　制御部、２５１　操作部、３１１　判別回路、３１２　輝度基準信号生成回路、３１３　混合回路、３１４　輝度／コントラスト調整回路、３１５　識別表示信号重畳回路
【図１】
2004147229.tif 000003
【図２】
2004147229.tif 000004
【図３】
2004147229.tif 000005
【図４】
2004147229.tif 000006
【図５】
2004147229.tif 000007
【図６】
2004147229.tif 000008
【図７】
2004147229.tif 000009
【図８】
2004147229.tif 000010
【図９】
2004147229.tif 000011
【図１０】
2004147229.tif 000012
【図１１】
2004147229.tif 000013